(57)【特許請求の範囲】
【請求項１】
基礎により地面に立設した複数本の支柱と該支柱の上部に張った屋根梁材と、前記屋根梁材の外周縁部から地面に向けて垂下した複数本の側壁梁材とで構成された枠体と、
前記屋根梁材の上面に所定間隔のもとに配置された複数枚のソーラーパネルと、
前記ソーラーパネルの下部で前記枠体の外周を覆う透明シートと、
を備え、
前記各支柱には上下複数段に配置された棚を備え、前記各棚には複数の植物栽培ラックを備えることを特徴とするソーラーパネルを備える植物栽培装置。
【請求項２】
請求項１記載のソーラーパネルを備える植物栽培装置において、
前記複数段の棚はその中央を支柱に固定され、両端側を支柱の上部から地面に向けて両サイド斜め外側に傾斜状に配置された傾斜梁材に固定されていることを特徴とするソーラーパネルを備える植物栽培装置。
【請求項３】
請求項１又は、２に記載のソーラーパネルを備える植物栽培装置において、
前記各支柱の基礎が蛇籠で構成し、該蛇籠の籠下部分をプレートで構成し、該プレートに対して前記支柱を立設固定したことを特徴とするソーラーパネルを備える植物栽培装置。
【請求項４】
請求項１〜３のいずれか１項に記載のソーラーパネルを備える植物栽培装置において、
前記各支柱の上端部が水平梁材で連結固定されていることを特徴とするソーラーパネルを備える植物栽培装置。
【請求項５】
請求項１〜４のいずれか１項に記載のソーラーパネルを備える植物栽培装置において、
前記側壁梁材は屋根梁材の外周縁部から地面に向けて外側斜め方向に傾斜状に配置されていることを特徴とするソーラーパネルを備える植物栽培装置。
【発明の詳細な説明】
【技術分野】
【０００１】
本発明は、ソーラーパネルを備える植物栽培装置に関する。
【背景技術】
【０００２】
従来、ソーラーパネルを備える植物栽培装置として特許文献１に記載の技術が公知になっている。
この従来のソーラーパネルを備える植物栽培装置は、架台により傾斜させて設置したソーラーパネルの下に、植物栽培装置を設置した構造としたものである。
【先行技術文献】
【特許文献】
【０００３】
【特許文献１】特開２０１３−２１４６４４号公報
【発明の概要】
【発明が解決しようとする課題】
【０００４】
しかしながら、従来例のソーラーパネルを備える植物栽培装置にあっては、架台により設置面から傾斜させて設置したソーラーパネルの下の狭い断面三角形状の空間に、平面的に植物栽培装置を設置した構造であるため、栽培面積が狭く、植物生産効率が極めて悪いという問題があった。
【０００５】
また、ソーラーパネルで覆われた植物栽培装置に太陽光を当てるために、太陽光を透過するソーラーパネルを用い、太陽光発電装置は、ソーラーパネルを透過した太陽光の進行方向を変更して植物栽培装置に照射させるミラー又はレンズを備える必要があり、コストが高くつくという問題もあった。
【０００６】
本発明の解決しようとする課題は、ハウス栽培に必要なソーラーパネルを備えながら植物に必要な採光が得られ、少ない設置面積で植物の生産効率を高めることができるソーラーパネルを備える植物栽培装置を提供することにある。
【課題を解決するための手段】
【０００７】
上記課題を解決するため請求項１記載のソーラーパネルを備える植物栽培装置は、
基礎により地面に立設した複数本の支柱と該支柱の上部に張った屋根梁材と、前記屋根梁材の外周縁部から地面に向けて垂下した複数本の側壁梁材とで構成された枠体と、
前記屋根梁材の上面に所定間隔のもとに配置された複数枚のソーラーパネルと、
前記ソーラーパネルの下部で前記枠体の外周を覆う透明シートと、
を備え、
前記各支柱には上下複数段に配置された棚を備え、前記各棚には複数の植物栽培ラックを備えることを特徴とする手段とした。
【０００８】
また、請求項２記載のソーラーパネルを備える植物栽培装置は、請求項１記載のソーラーパネルを備える植物栽培装置において、
前記複数段の棚はその中央を支柱に固定され、両端側を支柱の上部から地面に向けて両サイド斜め外側に傾斜状に配置された傾斜梁材に固定されていることを特徴とする手段とした。
【０００９】
また、請求項３記載のソーラーパネルを備える植物栽培装置は、請求項１又は、２に記載のソーラーパネルを備える植物栽培装置において、
前記各支柱の基礎が蛇籠で構成し、該蛇籠の籠下部分をプレートで構成し、該プレートに対して前記支柱を立設固定したことを特徴とする手段とした。
【００１０】
また、請求項４記載のソーラーパネルを備える植物栽培装置は、請求項１〜３のいずれか１項に記載のソーラーパネルを備える植物栽培装置において、
前記各支柱の上端部が水平梁材で連結固定されていることを特徴とする手段とした。
【００１１】
また、請求項５記載のソーラーパネルを備える植物栽培装置は、請求項１〜４のいずれか１項に記載のソーラーパネルを備える植物栽培装置において、
前記側壁梁材は屋根梁材の外周縁部から地面に向けて外側斜め方向に傾斜状に配置されていることを特徴とする手段とした。
【発明の効果】
【００１２】
請求項１記載のソーラーパネルを備える植物栽培装置明では、上述のように、基礎により地面に立設した複数本の支柱と該支柱の上部に張った屋根梁材と、屋根梁材の外周縁部から地面に向けて垂下した複数本の側壁梁材とで構成された枠体と、屋根梁材の上面に所定間隔のもとに配置された複数枚のソーラーパネルと、ソーラーパネルの下部で前記枠体の外周を覆う透明シートと、を備え、各支柱には上下複数段に配置された棚を備え、各棚には複数の植物栽培ラックを備えた構成としたことで、ハウス栽培に必要なソーラーパネルを備えながら植物に必要な採光が得られ、少ない設置面積で植物の生産効率を高めることができるようになるという効果が得られる。
【００１３】
請求項２記載のソーラーパネルを備える植物栽培装置では、上述のように、複数段の棚はその中央を支柱に固定され、両端側を支柱の上部から地面に向けて両サイド斜め外側に傾斜状に配置された傾斜梁材に固定された構成とすることで、ソーラーパネルを高い位置に設置しても植物栽培の作業空間を狭めることなしに、十分な設置強度が得られ、これにより、少ない設置面積で、植物の栽培効率を高めることができるようになるという効果が得られる。
【００１４】
請求項３記載のソーラーパネルを備える植物栽培装置では、上述のように、
各支柱の基礎が蛇籠で構成し、該蛇籠の籠下部分をプレートで構成し、該プレートに対して前記支柱を立設固定した構成とすることで、以下の効果が得られる。
すなわち、従来のコンクリート基礎の施工には、木製若しくは鋼製の型枠を製作し、これを現場で１つずつ組み立てるため、コンクリート型枠の設置及び解体に多大の時間と労力を必要とし、膨大なコストがかると共に、生産性が悪くスケジュール調整が困難であり、かつ、労災リスクが高いという問題があった。
これに対し、本願では、コンクリート製の基礎に比べ、熟練を要することなく作業が容易であるため、生産性の向上により少人数での工事短縮が可能で、スケジュール調整が容易であり、コストの低減化及び労災リスクの低減が可能で、かつ、環境に与える影響が少なく、設置可能な広大な土地の確保が容易であると共に、撤去作業も容易になる、等の効果が得られる。
【００１５】
請求項４記載のソーラーパネルを備える植物栽培装置では、上述のように、各支柱の上端部が水平梁材で連結固定されることで、枠体の強度をさらに高めることができるようになるという効果が得られる。
【００１６】
請求項５記載のソーラーパネルを備える植物栽培装置では、上述のように、側壁梁材は屋根梁材の外周縁部から地面に向けて外側斜め方向に傾斜状に配置されることで、枠体の強度をさらに高め、かつ、作業空間を広めることができるようになるという効果が得られる。
【図面の簡単な説明】
【００１７】
【図１】実施例１のソーラーパネルを備える植物栽培装置を示す平面図である。
【図２】図１のＡ−Ａ線における縦断面図である。
【図３】図５のＢ−Ｂ線における縦断面図である。
【図４】図５のＣ−Ｃ線における縦断面図である。
【図５】図２のＤ−Ｄ線における平面図である。
【図６】図２のＥ−Ｅ線における横断面図である。
【図７】図２のＦ−Ｆ線における横断面図である。
【図８】蛇籠による支柱設置構造及び方法を示す作業工程図である。
【発明を実施するための形態】
【００１８】
以下にこの発明の実施例を図面に基づいて説明する。
【実施例１】
【００１９】
まず、この実施例１のソーラーパネルを備える植物栽培装置を図面に基づいて説明する。
【００２０】
このソーラーパネルを備える植物栽培装置は、図１〜８に示すように、枠体１と、複数本の支柱２と、複数枚のソーラーパネル３と、透明シート４と、複数段の棚５と、複数の植物栽培ラック６と、を主な構成として備えている。
【００２１】
さらに詳述すると、前記枠体１は、基礎１１により地面に立設した複数本の支柱１２と、支柱１２の上部に張った屋根梁材１３と、屋根梁材１３の外周縁部から地面に向けて垂下した複数本の側壁梁材１４とで構成されている。
【００２２】
前記側壁梁材１４は、図２、３、７に示すように、屋根梁材１３の外周縁部から地面に向けて外側斜め方向に傾斜状に配置され、その下端プレートを地中に埋設された植え込みボルトとナット１４ａで地面に固定されている。
【００２３】
前記各支柱２の基礎１１が、図２、３、７、８に示すように、蛇籠７で構成され、該蛇籠７の籠下部分をプレート７１で構成し、該プレート７１に対して支柱２を立設固定した構造となっている。
また、プレート７１は、地中に埋設された植え込みボルト７１ａとナット７１ｂで地面に固定されている。
【００２４】
前記各支柱２には、図２、３に示すように、上下複数段に配置された棚５を備え、各棚５とその下の地面には複数の植物栽培ラック６を備えている。
【００２５】
前記複数段の棚５はその中央を支柱２に固定され、両端側を支柱２の上部から地面に向けて両サイド斜め外側に傾斜状に配置された傾斜梁材８に固定されている。
また、傾斜梁材８の下端は、地中に埋設された植え込みボルトとナット８１で地面に固定されている。
【００２６】
前記各支柱２の上端部が水平梁材９で連結固定されている。
【００２７】
前記複数枚のソーラーパネル３は、図１、３、５に示すように、屋根梁材１３の上面に隙間Ｗを空けて配置されている。
【００２８】
前記透明シート４は、図２に示すように、ソーラーパネル３の下部で枠体１の外周を覆う状態に設けられている。
また、この透明シート４は、その下端部に巻き取り装置１０を備えている。
【００２９】
次に、この実施例１のソーラーパネルを備える植物栽培装置における蛇籠７による支柱２の設置方法を図８に基づいて説明する。
まず、図８（イ）に示すように、プレート７１を予めポイント杭７２等で位置出しされたソーラーパネル設置面に設置し、プレート７１の４隅を植え込みボルト７１ａとナット７１ｂで地面に固定する（第１工程）。
次に、図８（イ）、（ロ）に示すように、支柱２の固定フランジ７３をプレート７１の中央部に立設された３本のボルト７４とナット７５で締結固定することで、プレート７１上に支柱２を立設固定する（第２工程）。
次に、図８（ハ）に示すように、プレート７１の上に蛇籠７を構成する上面開口状の籠７６を設置する（第３工程）。
次に、図８（ニ）に示すように、籠７６内に石７７を詰め込む（第４工程）。
次に、図８（ホ）に示すように、籠７６の上面開口部に蛇籠７を構成する上蓋７８をかぶせて固定する（第５工程）。
以上で支柱２の設置を完了する。
【００３０】
次に、この実施例１の効果を説明する。
【００３１】
この実施例１のソーラーパネルを備える植物栽培装置では、上述のように、基礎１１により地面に立設した複数本の支柱２と該支柱２の上部に張った屋根梁材１３と、屋根梁材１３の外周縁部から地面に向けて垂下した複数本の側壁梁材１４とで構成された枠体１と、屋根梁材１３の上面に所定間隔のもとに配置された複数枚のソーラーパネル３と、ソーラーパネル３の下部で枠体１の外周を覆う透明シート４と、を備え、各支柱２には上下複数段に配置された棚５を備え、各棚５には複数の植物栽培ラック６を備えた構成としたことで、ハウス栽培に必要なソーラーパネル３を備えながら植物に必要な採光が得られ、少ない設置面積で植物の生産効率を高めることができるようになるという効果が得られる。
【００３２】
また、複数段の棚５はその中央を支柱２に固定され、両端側を支柱２の上部から地面に向けて両サイド斜め外側に傾斜状に配置された傾斜梁材８に固定された構成とすることで、ソーラーパネル３を高い位置に設置しても植物栽培の作業空間を狭めることなしに、十分な設置強度が得られ、これにより、少ない設置面積で、植物の栽培効率を高めることができるようになるという効果が得られる。
【００３３】
また、各支柱の基礎１１が蛇籠７で構成し、該蛇籠７の籠下部分をプレート７１で構成し、該プレート７１に対して支柱２を立設固定した構成とすることで、以下の効果が得られる。
すなわち、従来のコンクリート基礎の施工には、木製若しくは鋼製の型枠を製作し、これを現場で１つずつ組み立てるため、コンクリート型枠の設置及び解体に多大の時間と労力を必要とし、膨大なコストがかると共に、生産性が悪くスケジュール調整が困難であり、かつ、労災リスクが高いという問題があった。
これに対し、本実施例１では、コンクリート製の基礎に比べ、熟練を要することなく作業が容易であるため、生産性の向上により少人数での工事短縮が可能で、スケジュール調整が容易であり、コストの低減化及び労災リスクの低減が可能で、かつ、環境に与える影響が少なく、設置可能な広大な土地の確保が容易であると共に、撤去作業も容易になる、等の効果が得られる。
【００３４】
また、各支柱２の上端部が水平梁材８で連結固定されることで、枠体１の強度をさらに高めることができるようになるという効果が得られる。
【００３５】
また、側壁梁材１４は屋根梁材１３の外周縁部から地面に向けて外側斜め方向に傾斜状に配置されることで、枠体１の強度をさらに高め、かつ、作業空間を広めることができるようになるという効果が得られる。
【００３６】
以上本実施例を説明してきたが、本発明は上述の実施例に限られるものではなく、本発明の要旨を逸脱しない範囲の設計変更等があっても、本発明に含まれる。
【００３７】
例えば、実施例では、各ソーラーパネル３を水平に配置したが、傾斜状に配置するようにしてもよい。
【００３８】
また、実施例では、基礎１１を蛇籠７で構成したが、コンクリート製であってもよい。
【符号の説明】
【００３９】
１  枠体
１１  基礎
１２  支柱
１３  屋根梁材
１４  側壁梁材
１４ａ  植え込みボルトとナット
２  支柱
３  ソーラーパネル
４  透明シート
５  棚
６  栽培ラック
７  蛇籠（基礎）
７１  プレート
７１ａ  植え込みボルト
７１ｂ  ナット
７２  ポイント杭
７３  固定フランジ
７４  ボルト
７５  ナット
７６  籠
７７  石
７８  上蓋
８  傾斜梁材
８１  植え込みボルトとナット
９  水平梁材
１０  巻き取り装置
Ｗ  隙間
【要約】      （修正有）【課題】ハウス栽培に必要なソーラーパネルを備えながら植物に必要な採光が得られ、少ない設置面積で植物の生産効率を高めることができるソーラーパネルを備える植物栽培装置を提供する。【解決手段】基礎１１により地面に立設した複数本の支柱と該支柱の上部に張った屋根梁材１３と、屋根梁材の外周縁部から地面に向けて垂下した複数本の側壁梁材１４とで構成された枠体１と、屋根梁材の上面に所定間隔のもとに配置された複数枚のソーラーパネル３と、ソーラーパネルの下部で枠体の外周を覆う透明シート４と、を備え、各支柱には上下複数段に配置された棚５を備え、各棚５には複数の植物栽培ラック６を備える。【選択図】図２【図１】
0005726363.tif 000002
【図２】
0005726363.tif 000003
【図３】
0005726363.tif 000004
【図４】
0005726363.tif 000005
【図５】
0005726363.tif 000006
【図６】
0005726363.tif 000007
【図７】
0005726363.tif 000008
【図８】
0005726363.tif 000009